(57)【特許請求の範囲】
【請求項１】
液体供給手段が接続されるノズル本体に、前記液体供給手段から供給された液体Ｗが通過する液体通過部と、この液体通過部を通過した液体Ｗを導出する液体導出部とを設けたノズルであって、前記ノズル本体には前記液体供給手段の液体Ｗとは異種の液体Ｌを収納する収納部が設けられ、この収納部に収納された前記異種の液体Ｌを前記液体通過部に導出する異液導出部を具備し、この異液導出部は前記液体通過部の内部に設けられる中空環状体であり、この中空環状体には複数の液体導出孔が設けられ、前記液体通過部を液体Ｗが通過した際、この液体Ｗの流圧により前記液体導出孔夫々から前記異種の液体Ｌが該液体通過部に導出されるように構成されていることを特徴とするノズル。
【請求項２】
請求項１記載のノズルにおいて、前記異液導出部は、前記中空環状体の前方面に複数の液体導出孔を環状に並設して構成されていることを特徴とするノズル。
【請求項３】
請求項１，２いずれか１項に記載のノズルにおいて、前記液体通過部内にして前記異液導出部よりも下流側の部位に、液体Ｗの流れに乱流を発生させる乱流発生部が設けられていることを特徴とするノズル。
【請求項４】
請求項３記載のノズルにおいて、前記乱流発生部は、前記液体通過部の内部に内方へ向けて突出する多数の突部で構成されていることを特徴とするノズル。
【請求項５】
請求項３記載のノズルにおいて、前記乱流発生部は、前記液体通過部の内部に該液体通過部の長さ方向に螺旋状となる螺旋突条部で構成されていることを特徴とするノズル。
【請求項６】
請求項１〜５いずれか１項に記載のノズルにおいて、前記収納部は前記ノズル本体の上部所定位置に着脱自在に設けられていることを特徴とするノズル。
【請求項７】
請求項１〜６いずれか１項に記載のノズルにおいて、前記ノズル本体は握持部を有する手持ち構造体であることを特徴とするノズル。
【発明の詳細な説明】
【技術分野】
【０００１】
本発明は、散水等に用いるノズルに関するものである。
【背景技術】
【０００２】
従来から、例えば花壇や鉢植えの植物にホースを用いて散水を行う際、このホースの先端に、例えばストレート状や霧状などの散水状態を切り替える機能や散水停止機能を持ったノズルを接続するが、このノズルとして、例えば特開平７−８７８７３号のようなノズル（以下、従来例）が提案されている。
【０００３】
この従来例は、ホースが接続されるノズル本体に、当該ホースから供給された水を通過させる水通過部と、この水通過部を通過した水を導出する水導出部とを設けた構造であり、ノズル本体には液肥等を収納する収納部が設けられ、この収納部に収納された液肥を水通過部に導出する異液導出部を具備し、この異液導出部は基端開口部が収納部に連設され先端開口部が水通過部内に配される管体であり、水通過部を水が通過した際、該水流圧により管体の先端開口部から液肥が該水通過部内に導出されるように構成されている。
【０００４】
従って、従来例は、収納部に液肥，除草剤等の薬液を入れておくことで、この所望の液肥を混入させた散水をすることができる。
【先行技術文献】
【特許文献】
【０００５】
【特許文献１】特開平７−８７８７３号公報
【発明の概要】
【発明が解決しようとする課題】
【０００６】
本発明者は、前述した所望の液体等を混合させて散水することができるタイプのノズルについて更なる研究・開発を進め、その結果、従来にない作用効果を発揮する画期的なノズルを開発した。
【課題を解決するための手段】
【０００７】
添付図面を参照して本発明の要旨を説明する。
【０００８】
液体供給手段30が接続されるノズル本体10に、前記液体供給手段30から供給された液体Ｗが通過する液体通過部２と、この液体通過部２を通過した液体Ｗを導出する液体導出部３とを設けたノズルであって、前記ノズル本体10には前記液体供給手段30の液体Ｗとは異種の液体Ｌを収納する収納部４が設けられ、この収納部４に収納された前記異種の液体Ｌを前記液体通過部２に導出する異液導出部５を具備し、この異液導出部５は前記液体通過部２の内部に設けられる中空環状体であり、この中空環状体には複数の液体導出孔５ａが設けられ、前記液体通過部２を液体Ｗが通過した際、この液体Ｗの流圧により前記液体導出孔５ａ夫々から前記異種の液体Ｌが該液体通過部２に導出されるように構成されていることを特徴とするノズルに係るものである。
【０００９】
また、請求項１記載のノズルにおいて、前記異液導出部５は、前記中空環状体の前方面に複数の液体導出孔５ａを環状に並設して構成されていることを特徴とするノズルに係るものである。
【００１０】
また、請求項１，２いずれか１項に記載のノズルにおいて、前記液体通過部２内にして前記異液導出部５よりも下流側の部位に、液体Ｗの流れに乱流を発生させる乱流発生部６が設けられていることを特徴とするノズルに係るものである。
【００１１】
また、請求項３記載のノズルにおいて、前記乱流発生部６は、前記液体通過部２の内部に内方へ向けて突出する多数の突部７で構成されていることを特徴とするノズルに係るものである。
【００１２】
また、請求項３記載のノズルにおいて、前記乱流発生部６は、前記液体通過部２の内部に該液体通過部２の長さ方向に螺旋状となる螺旋突条部８で構成されていることを特徴とするノズルに係るものである。
【００１３】
また、請求項１〜５いずれか１項に記載のノズルにおいて、前記収納部４は前記ノズル本体10の上部所定位置に着脱自在に設けられていることを特徴とするノズルに係るものである。
【００１４】
また、請求項１〜６いずれか１項に記載のノズルにおいて、前記ノズル本体10は握持部10ａを有する手持ち構造体であることを特徴とするノズルに係るものである。
【発明の効果】
【００１５】
本発明は上述のように構成したから、前述した従来例に比し、液体通過部を通過する液体に異種の液体を良好に混合させることができるなど、従来にない作用効果を発揮する画期的なノズルとなる。
【図面の簡単な説明】
【００１６】
【図１】本実施例の使用状態説明図である。
【図２】本実施例に係る要部を示す断面図である。
【図３】本実施例に係る要部を示す分解斜視図である。
【図４】本実施例に係る要部を示す断面図である。
【図５】本実施例に係る要部の動作説明図である。
【図６】本実施例に係る要部の動作説明図である。
【図７】本実施例に係る要部の動作説明図である。
【図８】本実施例に係る要部の別例の動作説明図である。
【発明を実施するための形態】
【００１７】
好適と考える本発明の実施形態を、図面に基づいて本発明の作用を示して簡単に説明する。
【００１８】
液体供給手段30から供給された液体Ｗは液体通過部２を通過し、この液体通過部２を通過した液体Ｗは液体導出部３から導出される。
【００１９】
この際、液体通過部２には異液導出部５から異種の液体Ｌが導出され、この液体Ｌは当該液体通過部２を通過する液体Ｗに混合される。
【００２０】
具体的には、液体通過部２を液体Ｗが通過する際、中空環状体の各液体導出孔５ａ付近が負圧となり液体Ｌが該液体通過部２に導出され、液体通過部２を通過する液体Ｗに異種の液体Ｌが良好に混合される。
【実施例】
【００２１】
本発明の具体的な一実施例について図面に基づいて説明する。
【００２２】
本実施例は、加圧された液体Ｗを供給する液体供給手段30が接続されるノズル本体10に、当該液体供給手段30から供給された液体Ｗが通過する液体通過部２と、この液体通過部２を通過した液体Ｗを導出する液体導出部３を設けたものである。尚、本実施例では、加圧された液体Ｗを供給する液体供給手段30として、水道の蛇口から延設され水Ｗを供給するホース（合成樹脂製ホース）であるが、その他にも、例えば適宜な動力により水Ｗを噴霧する水噴霧器から延設されるホースでも良いなど、本実施例の特性を発揮する構成であれば適宜採用し得るものである。
【００２３】
以下、本実施例に係る構成各部について詳細な説明をする。
【００２４】
ノズル本体10は、図１，２に図示したように握持部10ａを有するガン形状の手持ち構造体である。
【００２５】
具体的には、ノズル本体10は、適宜な合成樹脂製の部材で形成したものであり、左右一対の半体10Ａ，10Ｂ同士を重合連設して構成されている。
【００２６】
この半体10Ａ，10Ｂ夫々の対向する内面には、図３に図示したように凹溝部11，12が形成されており、半体10Ａ，10Ｂ同士を重合連設した際、この凹溝部11，12同士から成る筒状の液体通過部２がノズル本体10の長さ方向に形成される。
【００２７】
また、この液体通過部２には、液体Ｗの流通を阻止する合成樹脂製の開閉弁13が設けられており、この開閉弁13はノズル本体10の握持部10ａに設けた操作レバー14を操作することで開放できるように構成されている。
【００２８】
また、ノズル本体10は、基端部には液体供給手段30（ホース）が接続自在となる液体導入部１が設けられ、一方、先端部には導出する水の種類をストレート状や霧状に切り替える切り替え機能付きの液体導出部３が設けられている。
【００２９】
また、ノズル本体10は、図２，４に図示したように上部所定位置に筒状開口部10ｂが突設されており、この筒状開口部10ｂの周面にはネジ溝10ｂ'が形成され、後述する収納部４に係る容体４'を装着するように構成されている。符号16は筒状開口部10ｂを閉塞する閉塞体である。
【００３０】
収納部４は、図１，２に図示したように液体Ｌを収納し得る合成樹脂製の容体４'をノズル本体10の上部所定位置に着脱自在に設けて構成されている。
【００３１】
この容体４'は、上下両端部に開口部が設けられており、下端開口部４ａにはノズル本体10へ連結する連結部９（ジョイント部材）が設けられ、上端開口部４ｂには閉塞蓋体15が設けられている。
【００３２】
この連結部９は、図４に図示したように容体４'の下端開口部４ａに螺着される有底筒状の第一部材９'と、この第一部材９'に回転自在に設けられ、ノズル本体10の筒状開口部10ｂに螺着する有天筒状の第二部材９”とで構成され、この連結部９を介して液体Ｌは後述する異液導出部５に供給される。
【００３３】
また、この連結部９には異液導出部５への液体Ｌの供給量を調整する液体供給量調整部が設けられている。
【００３４】
この液体供給量調整部は、図４，６に図示したように第一部材９'の底部に長窓孔９ａを設けるとともに、この第一部材９'の底部に重合する第二部材９”の天部に長窓孔９ｂを設け、第二部材９”に対して第一部材９'を回転させた際、この長窓孔９ａ，９ｂ同士が合致した際に生じる連通孔の開口面積が回転位置に応じて可変するように構成されている。
【００３５】
従って、長窓孔９ａ，９ｂ同士で形成される連通孔の開口面積の増減によって液体供給量を調整することができる。符号９ｃは液体の供給量を表示する液体供給量表示部であり、第二部材９”に対する第一部材９'の回転位置で可変する連通孔の開口面積に応じた大小の数字（１〜５）が表示される。
【００３６】
また、容体４'の上端開口部４ｂは、図１，２，７に図示したように閉塞蓋体15が着脱自在に螺着連結されており、この閉塞蓋体15を取り外すことで容体４'内に液体Ｌを充填することができる。
【００３７】
また、容体４'の上端開口部４ｂの周面には複数の空気孔４ｂ'が貫通形成されており、この各空気孔４ｂ'は周方向に並設され、互いに上下方向の異なる位置となるように設定されており、上端開口部４ｂに対する閉塞蓋体15の螺着位置に応じて空気孔４ｂ'全体の開口面積を可変自在に設けられている。
【００３８】
従って、この空気孔４ｂ'の開口面積を可変することで容体４'内への空気の導入量を可変することができ、この空気の導入量によっても異液導出部５への液体Ｌの供給量を調整することができる。
【００３９】
また、本実施例は、液体通過部２に液体Ｌを供給する異液導出部５を具備している。
【００４０】
この異液導出部５は、収納部４から供給された液体Ｌを導出する複数の液体導出孔５ａを、液体通過部２の内面部に該液体通過部２の周方向に環状に並設して構成されている。
【００４１】
具体的には、収納部４に収納された液体Ｌが供給され液体通過部２の内面部に沿設される合成樹脂製の中空環状体５'を設け、この中空環状体５'には複数の液体導出孔５ａが等間隔を介して周方向に並設されており、この各液体導出孔５ａは中空環状体５'の前方面、即ち、液体Ｗの流れの下流側に向けて開口している。
【００４２】
また、中空環状体５'は、図２，４に図示したようにその上端部に筒状部５ｂが設けられ、この筒状部５ｂは液体通過部２に貫通して該液体通過部２の外部に突出するように設けられており、この筒状部５ｂは筒状開口部10ｂに設けた漏斗状部５”に連設されている。
【００４３】
従って、収納部４に収納された液体Ｌは、連結部９及び漏斗状部５”を介して中空環状体５'に供給され、液体通過部２に液体Ｗが通過した際、該液体通過部２を通過する液体Ｗの流圧により液体導出孔５ａ夫々から液体Ｌが該液体通過部２内に導出される（図５参照）。
【００４４】
尚、中空環状体５'は液体通過部２の壁面に埋設された構造でも良い。
【００４５】
また、本実施例は、液体通過部２には、異液導出部５が設けられる部位よりも上流側及び下流側の部位に、該液体Ｗの流れに乱流を発生させる乱流発生部６が設けられている。
【００４６】
この乱流発生部６は、図２〜５に図示したように液体通過部２の内面部に該液体通過部２の内方へ向けて突出する多数の突部７を設けて構成されている。
【００４７】
本実施例では、各突部７の長さがランダムに異なる長さに設定されているが、同一の長さに設定しても良い。
【００４８】
尚、乱流発生部６としては、図８に図示したように液体通過部２の内面部に該液体通過部２の長さ方向に螺旋状となる螺旋突条部８を設けて、液体Ｗの流れが螺旋流（図８中の矢印線）となるように構成されるようにしても良いし、前述した突部７とこの螺旋突条部８とを組み合わせた構造としても良い。
【００４９】
本実施例は上述のように構成したから、ノズル本体10の握持部10ａを持ち、操作レバー14を操作すると、液体供給手段30から供給された液体Ｗは液体通過部２を通過し、この液体通過部２を通過した液体Ｗは液体導出部３から導出される。
【００５０】
この際、液体通過部２には収納部４に収納された液体Ｌ（液肥や除草剤等の薬液などの液体）が導出され、この液体Ｌは当該液体通過部２を通過する液体Ｗに混合される。
【００５１】
具体的には、液体通過部２を液体Ｗが通過する際、液体通過部２の内面部に設けられた中空環状体５'の各液体導出孔５ａ付近が負圧となり液体Ｌが該液体通過部２内に導出される（ベルヌーイ効果）。
【００５２】
また、この複数の液体導出孔５ａは液体通過部２の周方向に環状に並設されており、よって、液体通過部２を通過する液体Ｗに対して周囲の複数箇所から液体Ｌが導出される。
【００５３】
また、この液体Ｌが混合された液体Ｗは、乱流発生部６で乱流となり液体Ｌと良好に混ざることになる。
【００５４】
よって、本実施例によれば、液体通過部２を通過する液体Ｗに該液体Ｗと異種の液体Ｌを良好に混合させることができる。
【００５５】
また、本実施例は、異液導出部５は、中空環状体５'の前方面に複数の液体導出孔５ａを環状に並設して構成され、更に、複数の液体導出孔５ａは、液体通過部２の内面部に該液体通過部２の周方向に等間隔を介して環状に並設されているから、簡易且つ確実に前述した作用効果を発揮させることができる。
【００５６】
また、本実施例は、収納部４はノズル本体10の上部所定位置に着脱自在に設けられているから、必要な時に所望の液体Ｌを混合させることができる。
【００５７】
また、本実施例は、液体通過部２内にして異液導出部５が設けられる部位よりも上流側及び下流側の部位に、該液体Ｗの流れに乱流を発生させる乱流発生部６が設けられているから、この点においても液体通過部２を通過する液体Ｗに液体Ｌを良好に混合させることができる。
【００５８】
尚、本発明は、本実施例に限られるものではなく、各構成要件の具体的構成は適宜設計し得るものである。
【符号の説明】
【００５９】
Ｌ  液体
Ｗ  液体
２  液体通過部
３  液体導出部
４  収納部
５  異液導出部
５ａ  液体導出孔
６  乱流発生部
７  突部
８  螺旋突条部
10  ノズル本体
10ａ  握持部
30  液体供給手段
【図１】
0005502143.tif 000002
【図２】
0005502143.tif 000003
【図３】
0005502143.tif 000004
【図４】
0005502143.tif 000005
【図５】
0005502143.tif 000006
【図６】
0005502143.tif 000007
【図７】
0005502143.tif 000008
【図８】
0005502143.tif 000009